(57)【特許請求の範囲】
【請求項１】
陳列棚と、該陳列棚と連携動作可能な在庫管理装置を含む在庫管理システムであって、
前記陳列棚は、
背面に設けた投入口から投入された物品が、前面に設けた取り出し口へ滑動するような構造を有し、
前記陳列棚の背面に設けた投入口の近傍に設けられ、投入された物品に記録された情報を読み取る入庫情報読取手段と、
前記陳列棚の前面に設けた取り出し口の近傍に設けられ、前記棚の最前面に存在する物品及び／又は前記取り出し口を通過して取り出される物品に記録された情報を読み取る出庫情報読取手段と、
前記在庫管理装置のファイルの情報の表示及び／又は更新させるための入力を行い、カレンダと時計と、前記在庫管理装置に行わせる処理を切り替えるモード切り替えスイッチと、前記在庫管理装置に行わせた処理の結果を表示する表示手段を有する入出力手段とを備え、
前記在庫管理装置は、
前記陳列棚に在庫する物品の在庫情報を格納する陳列棚管理ファイルと、
商品管理情報を格納する商品管理ファイルと、
在庫管理情報を格納する在庫管理ファイルと、
前記入庫情報読取手段または前記出庫情報読取手段が読み取った物品に記録された情報を受け取る第一のインターフェースと、
前記入出力手段から入力された情報と日時情報と処理するモードを受け取る第二のインターフェースと、
第一のインターフェースと第二のインターフェースから受け取った情報と前記商品管理情報により前記陳列棚管理ファイルまたは前記在庫管理ファイルを更新する手段と
を備えたことを特徴とする在庫管理システム。
【請求項２】
カレンダと時計とモード切り替えスイッチと処理の結果を表示する表示手段を有する入出力手段と入庫情報読取手段と出庫情報読取手段を備えた陳列棚と連携動作可能な在庫管理装置であって、
該在庫管理装置は、
前記陳列棚に在庫する物品の在庫情報を格納する陳列棚管理ファイルと、
商品管理情報を格納する商品管理ファイルと、
在庫管理情報を格納する在庫管理ファイルと、
前記陳列棚の背面に設けた投入口の近傍に設けられ、投入された物品に記録された情報を読み取る入庫情報読取手段、または、前記陳列棚の前面に設けた取り出し口の近傍に設けられ、前記棚の最前面に存在する物品及び／又は前記取り出し口を通過して取り出される物品に記録された情報を読み取る前記出庫情報読取手段が読み取った物品に記録された情報を受け取る第一のインターフェースと、
前記在庫管理装置のファイルの情報の表示及び／又は更新させるための入力を行い、カレンダと時計と、前記在庫管理装置に行わせる処理を切り替えるモード切り替えスイッチと、前記在庫管理装置に行わせた処理の結果を表示する前記入出力手段から入力された情報と日時情報と処理モードを、前記陳列棚から受け取る第二のインターフェースと、
第一のインターフェースと第二のインターフェースから受け取った情報と前記商品管理情報により、前記陳列棚管理ファイルまたは前記在庫管理ファイルに対して、前記処理モードで指定された処理を行う手段と
を備えたことを特徴とする在庫管理装置。
【請求項３】
陳列棚管理ファイルと在庫管理ファイルと陳列棚から情報を受け取るインターフェースを有する在庫管理装置と連携動作可能な陳列棚であって、
前記陳列棚は、
背面に設けた投入口から投入された物品が、前面に設けた取り出し口へ滑動するような構造を有し、
前記陳列棚の背面に設けた投入口の近傍に設けられ、投入された物品に記録された情報を読み取る入庫情報読取手段と、
前記陳列棚の前面に設けた取り出し口の近傍に設けられ、前記棚の最前面に存在する物品及び／又は前記取り出し口を通過して取り出される物品に記録された情報を読み取る出庫情報読取手段と、
前記在庫管理装置のファイルの情報の表示及び／又は更新させるための入力を行い、カレンダと時計と、前記在庫管理装置に行わせる処理を切り替えるモード切り替えスイッチと、前記在庫管理装置に行わせた処理の結果を表示する表示手段を有する入出力手段とを備え、
前記在庫管理装置に、前記のインターフェース受け取った情報に基づき、前記陳列棚管理ファイルまたは前記在庫管理ファイルに対して、前記処理モードで指定された処理を行わせること
を特徴とする陳列棚。
【請求項４】
前記モード切り替えスイッチは、通常モード、在庫モード、廃棄モードを含む処理モードを切り替え可能であり、通常モードでは、陳列棚への入庫及び陳列棚からの出庫に合わせて在庫数を増減させ、在庫モードでは前記在庫管理装置に、在庫を取得させて、在庫数を入出力装置に表示させ、廃棄モードでは前記在庫管理装置に、保存期間を過ぎた商品の廃棄対象数量を求めさせて、前記入出力装置に表示させることを特徴とする請求項３に記載の陳列棚。
【発明の詳細な説明】
【０００１】
【発明の属する技術分野】
本発明は、ＰＯＳシステムや物流システムにおいて、販売期限、賞味期限、使用期限、有効期限をもった商品の在庫管理装置に関する。
【０００２】
【従来の技術】
従来における賞味期限や有効期限を持つ商品の在庫管理方式は、事前に作成し、商品に貼りつけた入荷日付ラベルをＰＯＳ装置にて読み取ることにより入荷情報を取得し、商品識別情報をＰＯＳ装置にて読み取ることにより販売情報を取得し、商品単品毎に入荷数量、販売数量、在庫数量、期限関連日時を持った在庫管理ファイルを更新していた。
【０００３】
【発明が解決しようとする課題】
従来の方法では、事前に入荷日付ラベルを作成して商品に貼りつける作業には時間を要するため、作業効率の面で問題があった。また、期限切れで廃棄する商品を把握するための帳票を商品管理ファイルから抽出し、その都度出力する必要があった。更に、先に入庫したものから出庫していく先入れ先出し方式のような、商品の廃棄を削減するためのしくみも備えていなかった。
【０００４】
【課題を解決するための手段】
上記の課題を解決するために、本発明の在庫管理システムは、
陳列棚が、背面に設けた投入口から投入された物品が、前面に設けた取り出し口へ滑動するような構造を有し、前記陳列棚の背面に設けた投入口の近傍に設けられ、投入された物品に記録された情報を読み取る入庫情報読取手段と、前記陳列棚の前面に設けた取り出し口の近傍に設けられ、前記棚の最前面に存在する物品及び／又は前記取り出し口を通過して取り出される物品に記録された情報を読み取る出庫情報読取手段と、在庫管理装置のファイルの情報の表示及び／又は更新させるための入力を行い、カレンダと時計と前記在庫管理装置に行わせる処理を切り替えるモード切り替えスイッチと前記在庫管理装置に行わせた処理の結果を表示する表示手段を有する入出力手段を有する入出力手段とを備え、前記在庫管理装置は、前記陳列棚に在庫する物品の在庫情報を格納する陳列棚管理ファイルと、商品管理情報を格納する商品管理ファイルと、在庫管理情報を格納する在庫管理ファイルと、前記入庫情報読取手段または前記出庫情報読取手段が読み取った物品に記録された情報が受け取る第一のインターフェースと、前記入出力手段から入力された情報と日時情報と処理するモードを受け取る第二のインターフェースと、第一のインターフェースと第二のインターフェースから受け取った情報と前記商品管理情報により前記陳列棚管理ファイルまたは前記在庫管理ファイルを更新する手段とを設けたことを特徴とする。
【０００５】
更に、本発明の在庫管理装置は、前記陳列棚に在庫する物品の在庫情報を格納する陳列棚管理ファイルと、商品管理情報を格納する商品管理ファイルと、在庫管理情報を格納する在庫管理ファイルと、
陳列棚の入庫情報読取手段または出庫情報読取手段が読み取った物品に記録された情報を受け取る第一のインターフェースと、前記陳列棚の入出力手段から入力された情報と日時情報と処理モードを受け取る第二のインターフェースと、第一のインターフェースと第二のインターフェースから受け取った情報と前記商品管理情報により、前記在庫管理装置が備える陳列棚管理ファイルまたは在庫管理ファイルに対して、前記処理モードで指定された処理を行う手段とを備えたことを特徴とする。
【０００６】
【発明の実施の形態】
以下、小売店の在庫管理に適用した実施の形態に従って本発明を詳細に説明する。なお、本実施態様及び図面での「商品」は、請求項中にある「物品」に対応するものである。
【０００７】
本発明を実施するために用意される商品陳列棚は図１に示しているように、商品単品毎に棚割されており、背面から前面にかかえて棚板に下りの傾斜を持たせている。棚の最前面は滑り降りてきた商品を固定する構造になっており、背面から入庫した商品は前面に滑り降りてきて入庫した順に並ぶ。
【０００８】
傾斜した棚板の底面には入庫側、出庫側それぞれに商品識別情報（以下：商品コードと記す）の読み取り装置１、２が設置してあり、商品の入庫時と出庫時に、読み取り装置上を商品が滑って横切る際に商品識別情報を読み取る。
【０００９】
また、商品陳列棚の前面には図２に示すようにカレンダーと時計を内蔵した入出力装置３を備えており、商品コードを読み取った時点の日時や、事前に入力した棚番情報を取得することができる。
【００１０】
また、本実施態様のシステム構成は図３に示すように、商品読取装置１、２や入出力装置３と、在庫管理用コンピュータ４よりなり、在庫管理用コンピュータ４は商品読取装置１、２とのインターフェース４１、入出力装置とのインターフェース４２、在庫管理プログラム４３（実際の装置ではコンピュータのＣＰＵが実行する）、陳列棚管理ファイル４４、商品管理ファイル４５、在庫管理ファイル４６、記憶装置４７とにより構成される。
【００１１】
また、陳列棚管理ファイル４４、商品管理ファイル４５、在庫管理ファイル４６は、それぞれ図４に示すデータ構造を有する。
【００１２】
以下、フローチャートを参照して本実施態様の在庫管理装置の動作を説明する。
１．入庫時（図５を参照）
商品陳列棚の背面の入庫口より商品を投入すると、商品が棚板を滑り降りる際に入庫口側の商品コードの読み取り装置にて商品コードを読み取り記憶する。同時に、入出力装置に事前に入力された棚番と、商品コードを読み取った日時を記憶する（１０１）。
【００１３】
次に、記憶した棚番をキーにして陳列棚管理ファイルを検索する（１０２）。キーの合致するデータが陳列棚管理ファイルに存在する場合、更に、記憶した商品コードをキーにして商品管理ファイルを検索する（１０３）。合致する場合は、入出力装置に商品管理ファイルから検索した品名、売価を入出力装置に表示する（１０４）。合致しない場合は、入出力装置にエラーメッセージを表示する（１０５）。
【００１４】
再度、記憶した棚番と商品コードと商品コードを読み取った日付（以下：入庫日）をキーにして陳列棚管理ファイルを検索する（１０６）。合致する場合は、検索したレコードの在庫数を＋１する（１０７）。合致しない場合は記憶した棚番、商品コード、入庫日と、在庫数として１を新規レコードとして陳列棚管理ファイルに追加する（１０８）。
【００１５】
入庫日から抜き出した年月と商品コードをキーとして在庫管理ファイルを検索する（１０９）。合致しない場合は新規レコードを追加する（１１０）。その時の追加レコードの前月繰越は前月の該当商品コードの在庫数とし、入庫数を１、当月の在庫数を前月繰越＋１とする。合致する場合は、合致レコードの入庫数を＋１、在庫数を＋１する（１１１）。
２．出庫時（図６を参照）
商品陳列棚の前面の出庫口より商品を取出すると、商品が棚板を滑り降りる際に出庫口側の商品コードの読み取り装置にて商品コードを読み取り記憶する。同時に、入出力装置に事前に入力された棚番と、商品コードを読み取った日時を記憶する（２０１）。
【００１６】
次に、記憶した棚番と商品コードをキーにして入庫日の最も小さいデータを陳列棚管理ファイルから検索する（２０２）。キーの合致するデータが陳列棚管理ファイルに存在する場合、合致レコードの在庫数をー１する（２０３）。合致しない場合は入出力装置にエラーメッセージを表示する（２０４）。
【００１７】
更に、入庫年月と商品コードをキーに在庫管理ファイルを検索する（２０５）。合致しない場合は入出力装置にエラーメッセージを表示する（２０６）。合致する場合で、モードスイッチが通常モードの時は、廃棄数を＋１、在庫数を−１にする（２０７）。同様に合致する場合で、モードスイッチが在庫モードの時は、合致レコードの出庫数を＋１、在庫数を−１にする（２０８）。その後、入出力装置に在庫数を表示する（２０９）。同様に合致する場合で、モードスイッチが廃棄モードの時は、廃棄数を＋１、在庫数を−１にする（２１０）。その後、入出力装置に廃棄必要数量を表示する（２１１）。
３．モード切り替えスイッチＯＮ時（図７を参照）
図２の入出力装置３のモード切り換えスイッチがｏｎの場合の実施態様を図７を用いて説明する。
【００１８】
入出力装置３に棚番が設定されてるかどうか判断する（３００）。入出力装置に棚番が設定されていない場合、入出力装置にエラーメッセージを表示する（３０２）。棚番が設定されている場合は、その棚番で陳列棚管理ファイルを検索する（３０１）。合致しない場合、入出力装置にエラーメッセージを表示する（３０４）。合致する場合、検索した商品コードをキーに商品管理ファイルを検索する（３０３）。合致しない場合、入出力装置にエラーメッセージを表示する（３０６）。合致する場合、検索した文字情報（品名等）や数値情報（在庫数等）を入出力装置に表示する（３０５）。
【００１９】
モードが在庫モードの時は、設定した棚番より最新の在庫数を検索（３０７）し、入出力装置に表示する（３０８）。検索できなかった場合はエラーメッセージを表示する（３０９）。モードが廃棄モードの時は、商品コードで検索した保存期間を本日日付からマイナスした日付を記憶しておく（３１０）。記憶した日付以前のデータで、該当商品コードの在庫数を集計（３１１）し廃棄対象数量として入出力装置に表示する（３１２）。
【００２０】
【発明の効果】
物品陳列棚に設けた商品識別情報の読み取り装置にて読み取りが行われた時点の日時を、入庫日及び、出庫日として取得できるため、入出庫日付のラベルを作成し貼り付ける作業を必要が無くなる。
【００２１】
また、入出力装置の通常モードでは、表示部分に商品名や価格を表示することにより、店舗等に商品陳列棚を設置する場合、陳列棚にプライスカードを貼りつける作業の省略化に可能になる。
【００２２】
在庫モードでは、各商品陳列棚毎の在庫数量の表示が可能であるため、棚卸業務の際に陳列棚内に商品を数える必要が無くなり、棚卸業務の簡素化が可能になる。
【００２３】
廃棄モードでは、期限切れの商品を廃棄する際に、各棚の入出力装置に表示している廃棄必要数量分の商品を、陳列棚の前面から取り除くだけで廃棄作業が可能となるため、作業の簡素化が可能になる。
【図面の簡単な説明】
【図１】  本発明の陳列棚の構成を示す図である。
【図２】  本発明の実施態様の入出力装置を示す図である。
【図３】  本発明の実施態様のシステム構成を示す図である。
【図４】  本発明の実施態様のデータ構造を示す図である。
【図５】  入庫時の処理を示すフローチャートである。
【図６】  出庫時の処理を示すフローチャートである。
【図７】  モード切り換えスイッチがＯＮの時の処理を示すフローチャートである。
【図１】
0004140136.tif 000002
【図２】
0004140136.tif 000003
【図３】
0004140136.tif 000004
【図４】
0004140136.tif 000005
【図５】
0004140136.tif 000006
【図６】
0004140136.tif 000007
【図７】
0004140136.tif 000008